(57)【要約】【課題】表示設定が異なる様々な表示手段に対応できる、電源がＯＮされた直後から映像情報が表示されるまでの間に表示手段に所定の画像情報を表示させる制御回路を備えた映像出力装置及び映像出力装置への当該制御回路の実装方法を提供する。【解決手段】映像情報を出力する映像出力装置１において、第２表示制御部２に、映像出力装置１の電源がＯＮされると基準クロック信号を発生する水晶振動子２１及びＰＬＬ回路２２と、表示部５の表示設定に関する表示設定情報を設定するための複数の外部端子２５ａ…を有する制御回路２５とを備え、制御回路２５に、映像出力装置１の電源がＯＮされてから、チューナ装置Ｅから入力される映像情報が表示部５に表示されるまでの間、生成された基準クロック信号に従って、複数の外部端子２５ａ…により設定された表示設定情報に基づいて、不揮発性メモリ２６に記憶された所定の画像情報を表示部５に表示させるよう構成した。【選択図】図１
2008263536.tif 000002
【特許請求の範囲】
【請求項１】
映像情報を出力する映像出力装置において、
前記映像情報を表示手段に表示させる第１表示制御手段と、
当該映像出力装置の電源がＯＮされてから、前記第１表示制御手段により映像情報が前記表示手段に表示されるまでの間、所定の画像情報を前記表示手段に表示させる第２表示制御手段と、を備え、
前記第２表示制御手段は、
前記映像出力装置の電源がＯＮされると基準クロック信号を生成する基準クロック生成回路と、
前記所定の画像情報を記憶する不揮発性メモリと、
前記表示手段の表示設定に関する表示設定情報を設定するための複数の外部端子を有する制御回路と、を備え、
前記表示設定情報は、前記映像出力装置の基板に接続される前記複数の外部端子の組み合わせによって設定され、
前記制御回路は、前記基準クロック生成回路により生成された基準クロック信号に従って、前記複数の外部端子により設定された表示設定情報に基づいて、前記不揮発性メモリに記憶された所定の画像情報を前記表示手段に表示させることを特徴とする映像出力装置。
【請求項２】
請求項１に記載の映像出力装置において、
前記表示設定情報は、前記表示手段の表示画面の水平解像度及び垂直解像度に関する解像度情報を含み、
前記第２表示制御手段は、
前記基準クロック生成回路により生成された基準クロック信号に従って水平画素数をカウントし、当該カウント値が前記解像度情報に含まれる水平解像度の値になった場合にリセットされる水平カウンタと、
前記水平カウンタがリセットされる度に垂直画素数をカウントし、当該カウント値が前記解像度情報に含まれる垂直解像度の値になった場合にリセットされる垂直カウンタと、を備え、
前記制御回路は、前記水平カウンタに同期して前記不揮発性メモリから前記所定の画像情報を一画素ずつ取得し、前記垂直カウンタがリセットされる度に、当該取得した前記所定の画像情報を前記表示手段に表示させることを特徴とする映像出力装置。
【請求項３】
請求項１又は２に記載の映像出力装置において、
前記表示設定情報は、前記表示手段の表示画面内における前記所定の画像情報を表示する位置に関する位置情報を含み、
前記制御回路は、前記位置情報に基づく取得タイミングで、前記不揮発性メモリから前記所定の画像情報を取得することを特徴とする映像出力装置。
【請求項４】
請求項１〜３の何れか一項に記載の映像出力装置において、
前記不揮発性メモリは、画像情報を複数記憶しており、
前記表示設定情報は、前記不揮発性メモリに記憶された複数の画像情報のうちの前記表示手段に表示させる所定の画像情報を識別するための識別情報を含み、
前記制御回路は、前記識別情報に基づいて、前記不揮発性メモリに記憶された複数の画像情報の中から前記表示手段に表示させる所定の画像情報を取得することを特徴とする映像出力装置。
【請求項５】
請求項１〜４の何れか一項に記載の映像出力装置において、
当該映像出力装置の電源がＯＦＦされる際に前記第１表示制御手段により前記表示手段に表示されている前記映像情報に関するロゴ情報を前記不揮発性メモリに記憶させる記憶制御手段を備え、
前記第２表示制御手段は、前記映像出力装置の電源がＯＮされてから、前記第１表示制御手段により映像情報が前記表示手段に表示されるまでの間、前記不揮発性メモリに記憶された所定の画像情報とともに、当該不揮発性メモリに記憶されたロゴ情報を前記表示手段に表示させることを特徴とする映像出力装置。
【請求項６】
映像情報を出力する映像出力装置において、
前記映像情報を表示手段に表示させる第１表示制御手段と、
当該映像出力装置の電源がＯＮされてから、前記第１表示制御手段により映像情報が前記表示手段に表示されるまでの間、所定の画像情報を前記表示手段に表示させる第２表示制御手段と、を備え、
前記第２表示制御手段は、
前記映像出力装置の電源がＯＮされると基準クロック信号を生成する基準クロック生成回路と、
画像情報を複数記憶する不揮発性メモリと、
前記表示手段の表示画面の水平解像度及び垂直解像度に関する解像度情報と、前記表示手段の表示画面内における前記所定の画像情報を表示する位置に関する位置情報と、前記不揮発性メモリに記憶された複数の画像情報のうちの前記表示手段に表示させる所定の画像情報を識別するための識別情報と、を含む、前記表示手段の表示設定に関する表示設定情報を設定するための複数の外部端子を有する制御回路と、
前記基準クロック生成回路により生成された基準クロック信号に従って水平画素数をカウントし、当該カウント値が前記解像度情報に含まれる水平解像度の値になった場合にリセットされる水平カウンタと、
前記水平カウンタがリセットされる度に垂直画素数をカウントし、当該カウント値が前記解像度情報に含まれる垂直解像度の値になった場合にリセットされる垂直カウンタと、を備え、
前記表示設定情報は、前記映像出力装置の基板に接続される前記複数の外部端子の組み合わせによって設定され、
前記制御回路は、前記水平カウンタに同期して、前記位置情報に基づく取得タイミングで、前記識別情報に基づいて、前記不揮発性メモリに記憶された複数の画像情報の中から前記表示手段に表示させる所定の画像情報を一画素ずつ取得し、前記垂直カウンタがリセットされる度に、当該取得した前記所定の画像情報を前記表示手段に表示させ、
前記映像出力装置は、当該映像出力装置の電源がＯＦＦされる際に前記第１表示制御手段により前記表示手段に表示されている前記映像情報に関するロゴ情報を前記不揮発性メモリに記憶させる記憶制御手段を備え、
前記第２表示制御手段は、前記映像出力装置の電源がＯＮされてから、前記第１表示制御手段により映像情報が前記表示手段に表示されるまでの間、前記不揮発性メモリに記憶された所定の画像情報とともに、当該不揮発性メモリに記憶されたロゴ情報を前記表示手段に表示させることを特徴とする映像出力装置。
【請求項７】
請求項１〜６の何れか一項に記載の映像出力装置への前記制御回路の実装方法において、
前記表示設定情報を設定するために前記複数の外部端子に入力設定を行って、前記制御回路を前記映像出力装置の基板に実装することを特徴とする実装方法。
【発明の詳細な説明】
【技術分野】
【０００１】
本発明は、映像出力装置及び実装方法に関する。
【背景技術】
【０００２】
従来、接続されたＤＶＤプレイヤ等の再生装置から入力されるコンテンツや、接続されたチューナから入力されるテレビジョン放送番組などの映像情報を出力する映像出力装置においては、電源がＯＮされてから映像情報が表示できる状態になるまでの間、ユーザの不安感を抑える等の目的で、表示手段に所定の画像情報を表示させるようになっている。
【０００３】
具体的には、例えば、電源がＯＮされた後、同期外れ（異常受信）を検出したときは、同期が回復するまでメモリ内の静止画像データを出力するデジタル放送受信装置が提案されている（例えば、特許文献１参照）。
【０００４】
また、例えば、記録再生装置一体型テレビジョン受像機において、電源がＯＮされると記録再生手段の初期化を行い、当該初期化を行っている期間は、初期化を行っていることを示すメッセージを表示手段にオンスクリーン表示するテレビジョン受像機が提案されている（例えば、特許文献２参照）。
【０００５】
また、例えば、システムの起動が完了するまでの間、番組情報（ＥＰＧ）を表示するデジタル放送受信装置が提案されている（例えば、特許文献３参照）。
【０００６】
ところで、特許文献１〜３では、電源がＯＮされてから映像情報が表示されるまでの間に表示手段に所定の画像情報を表示させる制御回路が、表示手段の表示設定（例えば、表示手段の表示画面の解像度など）に適合した画像情報を表示するためには、映像出力装置全体を制御するＣＰＵが表示手段の表示設定を取得して制御回路に設定するか、或いは、制御回路に予め表示手段の表示設定を設定しておく必要がある。
【特許文献１】特開平０７−３２２２４１号公報
【特許文献２】特開２００６−１３５８５３号公報
【特許文献３】特開２００６−３０３８８３号公報
【発明の開示】
【発明が解決しようとする課題】
【０００７】
しかしながら、ＣＰＵが表示手段の表示設定を取得して制御回路に設定する場合は、ＣＰＵが起動するまでの間は、画像情報が表示されないため、ユーザが不安感を覚える等の問題を十分に解決することができないという問題がある。
また、制御回路に予め表示手段の表示設定を設定しておく場合は、表示手段の種類に応じて表示設定が異なるため、表示手段の種類に応じて制御回路を製作しなければならず、部品コストがかかるという問題がある。
【０００８】
本発明の課題は、表示設定が異なる様々な表示手段に対応できる、電源がＯＮされた直後から映像情報が表示されるまでの間に表示手段の所定の画像情報を表示させる制御回路を備えた映像出力装置及び映像出力装置への当該制御回路の実装方法を提供することにある。
【課題を解決するための手段】
【０００９】
上記課題を解決するために、請求項１に記載の発明は、
映像情報を出力する映像出力装置において、
前記映像情報を表示手段に表示させる第１表示制御手段と、
当該映像出力装置の電源がＯＮされてから、前記第１表示制御手段により映像情報が前記表示手段に表示されるまでの間、所定の画像情報を前記表示手段に表示させる第２表示制御手段と、を備え、
前記第２表示制御手段は、
前記映像出力装置の電源がＯＮされると基準クロック信号を生成する基準クロック生成回路と、
前記所定の画像情報を記憶する不揮発性メモリと、
前記表示手段の表示設定に関する表示設定情報を設定するための複数の外部端子を有する制御回路と、を備え、
前記表示設定情報は、前記映像出力装置の基板に接続される前記複数の外部端子の組み合わせによって設定され、
前記制御回路は、前記基準クロック生成回路により生成された基準クロック信号に従って、前記複数の外部端子により設定された表示設定情報に基づいて、前記不揮発性メモリに記憶された所定の画像情報を前記表示手段に表示させることを特徴とする。
【００１０】
請求項２に記載の発明は、
請求項１に記載の映像出力装置において、
前記表示設定情報は、前記表示手段の表示画面の水平解像度及び垂直解像度に関する解像度情報を含み、
前記第２表示制御手段は、
前記基準クロック生成回路により生成された基準クロック信号に従って水平画素数をカウントし、当該カウント値が前記解像度情報に含まれる水平解像度の値になった場合にリセットされる水平カウンタと、
前記水平カウンタがリセットされる度に垂直画素数をカウントし、当該カウント値が前記解像度情報に含まれる垂直解像度の値になった場合にリセットされる垂直カウンタと、を備え、
前記制御回路は、前記水平カウンタに同期して前記不揮発性メモリから前記所定の画像情報を一画素ずつ取得し、前記垂直カウンタがリセットされる度に、当該取得した前記所定の画像情報を前記表示手段に表示させることを特徴とする。
【００１１】
請求項３に記載の発明は、
請求項１又は２に記載の映像出力装置において、
前記表示設定情報は、前記表示手段の表示画面内における前記所定の画像情報を表示する位置に関する位置情報を含み、
前記制御回路は、前記位置情報に基づく取得タイミングで、前記不揮発性メモリから前記所定の画像情報を取得することを特徴とする。
【００１２】
請求項４に記載の発明は、
請求項１〜３の何れか一項に記載の映像出力装置において、
前記不揮発性メモリは、画像情報を複数記憶しており、
前記表示設定情報は、前記不揮発性メモリに記憶された複数の画像情報のうちの前記表示手段に表示させる所定の画像情報を識別するための識別情報を含み、
前記制御回路は、前記識別情報に基づいて、前記不揮発性メモリに記憶された複数の画像情報の中から前記表示手段に表示させる所定の画像情報を取得することを特徴とする。
【００１３】
請求項５に記載の発明は、
請求項１〜４の何れか一項に記載の映像出力装置において、
当該映像出力装置の電源がＯＦＦされる際に前記第１表示制御手段により前記表示手段に表示されている前記映像情報に関するロゴ情報を前記不揮発性メモリに記憶させる記憶制御手段を備え、
前記第２表示制御手段は、前記映像出力装置の電源がＯＮされてから、前記第１表示制御手段により映像情報が前記表示手段に表示されるまでの間、前記不揮発性メモリに記憶された所定の画像情報とともに、当該不揮発性メモリに記憶されたロゴ情報を前記表示手段に表示させることを特徴とする。
【００１４】
請求項６に記載の発明は、
映像情報を出力する映像出力装置において、
前記映像情報を表示手段に表示させる第１表示制御手段と、
当該映像出力装置の電源がＯＮされてから、前記第１表示制御手段により映像情報が前記表示手段に表示されるまでの間、所定の画像情報を前記表示手段に表示させる第２表示制御手段と、を備え、
前記第２表示制御手段は、
前記映像出力装置の電源がＯＮされると基準クロック信号を生成する基準クロック生成回路と、
画像情報を複数記憶する不揮発性メモリと、
前記表示手段の表示画面の水平解像度及び垂直解像度に関する解像度情報と、前記表示手段の表示画面内における前記所定の画像情報を表示する位置に関する位置情報と、前記不揮発性メモリに記憶された複数の画像情報のうちの前記表示手段に表示させる所定の画像情報を識別するための識別情報と、を含む、前記表示手段の表示設定に関する表示設定情報を設定するための複数の外部端子を有する制御回路と、
前記基準クロック生成回路により生成された基準クロック信号に従って水平画素数をカウントし、当該カウント値が前記解像度情報に含まれる水平解像度の値になった場合にリセットされる水平カウンタと、
前記水平カウンタがリセットされる度に垂直画素数をカウントし、当該カウント値が前記解像度情報に含まれる垂直解像度の値になった場合にリセットされる垂直カウンタと、を備え、
前記表示設定情報は、前記映像出力装置の基板に接続される前記複数の外部端子の組み合わせによって設定され、
前記制御回路は、前記水平カウンタに同期して、前記位置情報に基づく取得タイミングで、前記識別情報に基づいて、前記不揮発性メモリに記憶された複数の画像情報の中から前記表示手段に表示させる所定の画像情報を一画素ずつ取得し、前記垂直カウンタがリセットされる度に、当該取得した前記所定の画像情報を前記表示手段に表示させ、
前記映像出力装置は、当該映像出力装置の電源がＯＦＦされる際に前記第１表示制御手段により前記表示手段に表示されている前記映像情報に関するロゴ情報を前記不揮発性メモリに記憶させる記憶制御手段を備え、
前記第２表示制御手段は、前記映像出力装置の電源がＯＮされてから、前記第１表示制御手段により映像情報が前記表示手段に表示されるまでの間、前記不揮発性メモリに記憶された所定の画像情報とともに、当該不揮発性メモリに記憶されたロゴ情報を前記表示手段に表示させることを特徴とする。
【００１５】
請求項７に記載の発明は、
請求項１〜６の何れか一項に記載の映像出力装置への前記制御回路の実装方法において、
前記表示設定情報を設定するために前記複数の外部端子に入力設定を行って、前記制御回路を前記映像出力装置の基板に実装することを特徴とする。
【発明の効果】
【００１６】
本発明によれば、第２表示制御手段は、映像出力装置の電源がＯＮされてから、第１表示制御手段により映像情報が表示手段に表示されるまでの間、所定の画像情報を表示手段に表示させることができる。具体的には、第２表示制御手段は、映像出力装置の電源がＯＮされると基準クロック信号を生成する基準クロック生成回路と、所定の画像情報を記憶する不揮発性メモリと、表示手段の表示設定に関する表示設定情報を設定するための複数の外部端子を有する制御回路と、を備え、制御回路は、基準クロック生成回路により生成された基準クロック信号に従って、複数の外部端子により設定された表示設定情報に基づいて、不揮発性メモリに記憶された所定の画像情報を表示手段に表示させることができる。
したがって、第２表示制御手段が備える制御回路は、映像出力装置全体を制御するＣＰＵの起動が完了しなくても、映像出力装置の電源がＯＮされると生成される基準クロック信号に従って、予め設定された表示設定情報に基づいて、予め記憶された所定の画像情報を表示手段に表示することができる。すなわち、制御回路は、映像出力装置の電源がＯＮされた直後から映像情報が表示されるまでの間に表示手段に所定の画像情報を表示させることができる。
また、表示設定情報は、映像出力装置の基板に接続される複数の外部端子の組み合わせによって設定されるため、制御回路は、表示設定が異なる様々な表示手段に対応できる。
【発明を実施するための最良の形態】
【００１７】
以下、図を参照して、本発明を実施するための最良の形態を詳細に説明する。なお、発明の範囲は、図示例に限定されない。
【００１８】
＜映像出力装置の構成＞
映像出力装置１は、例えば、図１に示すように、テレビジョン放送信号を受信して当該テレビジョン放送信号に基づく映像情報を信号処理部（図示省略）を介して映像出力装置１に入力するチューナ装置Ｅと接続しており、チューナ装置Ｅから信号処理部（図示省略）を介して入力される映像情報を出力する。
ここで、信号処理部（図示省略）は、チューナ装置Ｅから入力されたテレビジョン放送信号に所定の処理を施して、当該テレビジョン放送信号から、映像データと、音声データと、等を分離し、当該映像データをデコードして映像出力装置１に出力するとともに、当該音声データをデコードして音声出力装置（図示省略）に出力する。
なお、映像出力装置１は、この音声出力装置（図示省略）と一体的に構成されていてもよい。
【００１９】
具体的には、映像出力装置１は、例えば、図１に示すように、第２表示制御部２と、第１表示制御部４と、出力切替部４及びレジスタ４ａと、表示部５と、電源部６と、操作部７と、制御部８と、などを備えて構成される。
【００２０】
第２表示制御部２は、例えば、第２表示制御手段として、映像出力装置１の電源がＯＮされてから、第１表示制御部３により映像情報が表示部５に表示されるまでの間、不揮発性メモリ２６に記憶された所定の画像情報とともに、不揮発性メモリ２６に記憶されたロゴ情報を表示部５に表示させる。
ここで、例えば、図２に、所定の画像情報及びロゴ情報が表示された表示部５の表示画面を示す。
具体的には、所定の画像情報は、例えば、図２に示す表示画面の中央に表示された「しばらくお待ちください」のように、現在、電源がＯＮされて映像情報を表示するための処理を行っていること等を示すメッセージに関する情報である。
また、ロゴ情報は、例えば、図２に示す表示画面の右上に表示された「１」のように、これから表示部５に表示される、チューナ装置Ｅから入力されるテレビジョン放送信号に基づく映像情報のチャンネル番号等に関する情報である。
【００２１】
具体的には、第２表示制御部２は、例えば、図１に示すように、水晶振動子２１と、ＰＬＬ（Phase-Locked Loop）回路２２と、水平カウンタ２３と、垂直カウンタ２４と、複数の外部端子２５ａ…を有する制御回路２５と、不揮発性メモリ２６と、などを備えて構成される。
【００２２】
水晶振動子２１は、例えば、映像出力装置１の電源がＯＮされると振動する。
【００２３】
ＰＬＬ回路２２は、例えば、水晶振動子２１による振動に基づいて、基準クロック信号を生成する。
【００２４】
ここで、映像出力装置１の電源がＯＮされると基準クロック信号を生成する基準クロック生成回路は、水晶振動子２１と、ＰＬＬ回路２２と、などにより構成される。
【００２５】
水平カウンタ２３は、例えば、水晶振動子２１及びＰＬＬ回路２２により生成された基準クロック信号に従って水平画素数をカウントし、当該カウント値が解像度情報（後述）に含まれる水平解像度の値になった場合にリセットされる。
【００２６】
垂直カウンタ２４は、例えば、水平カウンタ２３がリセットされる度に垂直画素数をカウントし、当該カウント値が解像度情報（後述）に含まれる垂直解像度の値になった場合にリセットされる。
【００２７】
制御回路２５は、例えば、表示部５の表示設定に関する表示設定情報を設定するための複数の外部端子２５ａ…を有し、水晶振動子２１及びＰＬＬ回路２２により生成された基準クロック信号に従って、複数の外部端子２５ａ…により設定された表示設定情報に基づいて、不揮発性メモリ２６に記憶された所定の画像情報及びロゴ情報を表示部５に表示させる。
【００２８】
具体的には、複数の外部端子２５ａ…はそれぞれ、例えば、ＯＮ／ＯＦＦの切り替えが可能なディップスイッチ等で構成され、表示設定情報は、例えば、映像出力装置１の基板（図示省略）に接続される複数の外部端子２５ａ…のＯＮ／ＯＦＦの組み合わせによって設定される。
ここで、表示設定情報は、例えば、解像度情報と、画像位置情報（位置情報）と、ロゴ位置情報と、識別情報と、などを含んでいる。
【００２９】
解像度情報は、例えば、表示部５の表示画面の水平解像度及び垂直解像度に関する情報である。
すなわち、例えば、複数の外部端子２５ａ…の中に、解像度情報用の複数（例えば、２つ）の外部端子２５ａがあり、解像度情報用の複数の外部端子２５ａ…の組み合わせが、例えば、「ＯＦＦ−ＯＮ」であれば水平解像度×垂直解像度＝１３６６×７６８（ワイドＸＧＡ）、例えば、「ＯＮ−ＯＦＦ」であれば水平解像度×垂直解像度＝１９２０×１０８０（フルＨＤ）、といったように、解像度情報用の複数の外部端子２５ａ…のＯＮ／ＯＦＦの組み合わせによって、表示部５の表示画面に適合した解像度情報を設定できるようになっている。
【００３０】
そして、例えば、水平カウンタ２３は、カウント値が設定された解像度情報に含まれる水平解像度の値になった場合にリセットされ、垂直カウンタ２４は、カウント値が設定された解像度情報に含まれる垂直解像度の値になった場合にリセットされ、制御回路２５は、水平カウンタ２３に同期して不揮発性メモリ２６から所定の画像情報を一画素ずつ取得し、垂直カウンタ２４がリセットされる度に、当該取得した所定の画像情報を表示部５に表示させるために出力切替部４に出力する。
無論、解像度情報用の複数の外部端子２５ａ…の個数は、２つの限りではなく、制御回路２５を実装可能な映像出力装置１に備えられる表示部５の解像度を表現することができるのであれば任意である。
【００３１】
また、画像位置情報は、例えば、表示部５の表示画面内における所定の画像情報を表示する位置に関する情報である。
すなわち、例えば、複数の外部端子２５ａ…の中に、画像位置情報用の複数（例えば、２つ）の外部端子２５ａ…があり、画像位置情報用の複数の外部端子２５ａ…の組み合わせが、例えば、「ＯＦＦ−ＯＦＦ」であれば表示画面の中央、例えば、「ＯＮ−ＯＮ」であれば表示画面の右下、といったように、画像位置情報用の複数の外部端子２５ａ…のＯＮ／ＯＦＦの組み合わせによって、所望の画像位置情報を設定できるようになっている。
【００３２】
そして、制御回路２５は、例えば、設定された画像位置情報に基づく取得タイミングで、不揮発性メモリ２６から所定の画像情報を取得する。
無論、画像位置情報用の複数の外部端子２５ａ…の個数は、２つの限りではなく、表示画面内における所定の画像情報を表示する位置を特定することができるのであれば任意である。
【００３３】
また、ロゴ位置情報は、例えば、表示部５の表示画面内におけるロゴ情報を表示する位置に関する情報である。
すなわち、例えば、複数の外部端子２５ａ…の中に、ロゴ位置情報用の複数（例えば、２つ）の外部端子２５ａ…があり、ロゴ位置情報用の複数の外部端子２５ａ…の組み合わせが、例えば、「ＯＦＦ−ＯＦＦ」であれば表示画面の右上、例えば、「ＯＮ−ＯＮ」であれば表示画面の左上、といったように、ロゴ位置情報用の複数の外部端子２５ａ…のＯＮ／ＯＦＦの組み合わせによって、所望のロゴ位置情報を設定できるようになっている。
【００３４】
そして、制御回路２５は、例えば、設定されたロゴ位置情報に基づく取得タイミングで、不揮発性メモリ２６からロゴ情報を取得する。
無論、ロゴ位置情報用の複数の外部端子２５ａ…の個数は、２つの限りではなく、表示画面内におけるロゴ情報を表示する位置を特定することができるのであれば任意である。
【００３５】
また、識別情報は、例えば、不揮発性メモリ２６に記憶された複数の画像情報のうちの表示部５に表示させる所定の画像情報を識別するための情報である。
すなわち、例えば、複数の外部端子２５ａ…の中に、識別情報用の複数（例えば、２つ）の外部端子２５ａ…があり、識別情報用の複数の外部端子２５ａ…の組み合わせが、例えば、「ＯＦＦ−ＯＮ」であれば“画像情報Ｂ”、「ＯＮ−ＯＮ」であれば“画像情報Ｄ”といったように、識別情報用の複数の外部端子２５ａ…のＯＮ／ＯＦＦの組み合わせによって、所望の識別情報を設定できるようになっている。
【００３６】
そして、制御回路２５は、例えば、設定された識別情報に基づいて、不揮発性メモリ２６に記憶された複数の画像情報の中から表示部５に表示させる所定の画像情報を取得する。
無論、識別情報用の複数の外部端子２５ａ…の個数は、２つの限りではなく、不揮発性メモリ２６に記憶された複数の画像情報のそれぞれを識別することができるのであれば任意である。
【００３７】
不揮発性メモリ２６は、例えば、データの読み書き消去が可能な記録媒体である。
具体的には、不揮発性メモリ２６は、例えば、予め表示部５に表示するための画像情報を複数記憶している。
【００３８】
また、不揮発性メモリ２６は、例えば、制御部８から入力される制御信号に従って、映像出力装置１の電源がＯＦＦされる際に第１表示制御部３により表示部５に表示されている映像情報に関するロゴ情報を記憶する。
【００３９】
第１表示制御部３は、例えば、第１表示制御手段として、制御部８から入力される制御信号に従って、チューナ装置Ｅから信号処理部（図示省略）を介して入力される映像情報を表示部５に表示させる。
具体的には、第１表示制御部３は、例えば、チューナ装置Ｅから入力される映像情報に所定の処理を施して、出力切替部４に出力する。
【００４０】
出力切替部４は、例えば、レジスタ４ａに記憶された切替情報に基づいて、表示部５に出力する情報を、制御回路２５から入力される所定の画像情報及びロゴ情報と、第１表示制御部３から入力される映像情報と、に切り替える。
【００４１】
レジスタ４ａは、例えば、制御部８から入力される制御信号に従って、出力切替部４に、表示部５に出力する情報を、制御回路２５から入力される所定の画像情報及びロゴ情報と、第１表示制御部３から入力される映像情報と、に切り替えさせるための切替情報を記憶する。
すなわち、切替情報には、表示部５に出力する情報を制御回路２５から入力される所定の画像情報及びロゴ情報に切り替える旨の切替情報と、表示部５に出力する情報を第１表示制御部３から入力される映像情報に切り替える旨の切替情報と、がある。
【００４２】
表示部５は、例えば、液晶表示機器等であり、例えば、表示手段として、出力切替部４から入力される画像情報及びロゴ情報に基づく画像や、出力切替部４から入力される映像情報に基づく映像情報を出力する。
【００４３】
電源部６は、例えば、蓄電池などを備え、映像出力装置１の電源がＯＮされると、映像出力装置１の各部に通電を行う。
【００４４】
操作部７は、例えば、映像出力装置１の外面に設けられた操作ボタン（図示省略）や、映像出力装置１用のリモートコントローラ（図示省略）及び当該リモートコントローラと通信可能なリモコン受信部（図示省略）などから構成されており、例えば、ユーザにより操作されると、当該操作に伴う各種信号を制御部８に出力する。
具体的には、操作部７は、例えば、ユーザが映像出力装置１の電源をＯＮ／ＯＦＦする際に操作される。
【００４５】
制御部８は、例えば、図１に示すように、ＣＰＵ（Central Processing Unit）８１と、ＲＡＭ（Random Access Memory）８２と、記憶部８３と、などを備えて構成される。
【００４６】
ＣＰＵ８１は、例えば、記憶部８３に記憶された映像出力装置１用の各種処理プログラムに従って各種の制御動作を行う。
【００４７】
ＲＡＭ８２は、例えば、ＣＰＵ８１によって実行される処理プログラムなどを展開するためのプログラム格納領域や、入力データや上記処理プログラムが実行される際に生じる処理結果などを格納するデータ格納領域などを備える。
【００４８】
記憶部８３は、例えば、映像出力装置１で実行可能なシステムプログラム、当該システムプログラムで実行可能な各種処理プログラム、これら各種処理プログラムを実行する際に使用されるデータ、ＣＰＵ８１によって演算処理された処理結果のデータなどを記憶する。なお、プログラムは、コンピュータが読み取り可能なプログラムコードの形で記憶部８３に記憶されている。
【００４９】
具体的には、記憶部８３は、例えば、図１に示すように、映像表示制御プログラム８３ａと、判定プログラム８３ｂと、切替情報記憶制御プログラム８３ｃと、ロゴ情報記憶制御プログラム８３ｄと、などを記憶している。
【００５０】
映像表示制御プログラム８３ａは、例えば、第１表示制御部３に制御信号を入力して、チューナ装置Ｅから入力される映像情報を表示部５に表示させる機能を、ＣＰＵ８１に実現させる。
【００５１】
判定プログラム８３ｂは、例えば、第１表示制御部３により映像情報が表示部５に表示できる状態になったか否かを判定する機能を、ＣＰＵ８１に実現させる。
【００５２】
切替情報記憶制御プログラム８３ｃは、例えば、レジスタ４ａに切替情報を記憶させる機能を、ＣＰＵ８１に実現させる。
【００５３】
具体的には、ＣＰＵ８１は、例えば、判定プログラム８３ｂを実行したＣＰＵ８１によって第１表示制御部３により映像情報が表示部５に表示できる状態になったと判定された場合に、レジスタ４ａに、表示部５に出力する情報を第１表示制御部３から入力される映像情報に切り替える旨の切替情報を記憶させる。
また、ＣＰＵ８１は、例えば、ユーザによる操作部７の操作によって、映像出力装置１の電源をＯＦＦするよう指示された場合に、レジスタ４ａに、表示部５に出力する情報を制御回路２５から入力される所定の画像情報及びロゴ情報に切り替える旨の切替情報を記憶させる。
これにより、映像出力装置１の電源がＯＦＦされた後、映像出力装置１の電源がＯＮされた場合に、映像出力装置１の電源がＯＮされてから、第１表示制御部３により映像情報が表示部５に表示されるまでの間、不揮発性メモリ２６に記憶された所定の画像情報及びロゴ情報が表示部５に表示されることになる。
【００５４】
ロゴ情報記憶制御プログラム８３ｄは、例えば、映像出力装置１の電源がＯＦＦされる際に第１表示制御部３により表示部５に表示されている映像情報に関するロゴ情報を不揮発性メモリ２６に記憶させて、不揮発性メモリ２６に記憶されるロゴ情報を更新する機能を、ＣＰＵ８１に実現させる。
ＣＰＵ８１は、かかるロゴ情報記憶制御プログラム８３ｄを実行することによって、記憶制御手段として機能する。
【００５５】
＜実装方法＞
映像出力装置１への制御回路２５の実装方法について、図３のフローチャートを参照して説明する。
【００５６】
まず、表示設定情報を設定するために複数の外部端子２５ａ…に入力設定を行う（ステップＳ１１）。
【００５７】
次いで、制御回路２５を映像出力装置１の基板（図示省略）に実装する（ステップＳ１２）。
【００５８】
すなわち、複数の外部端子２５ａ…に入力設定が行われて所望の表示設定情報が設定された後、制御回路２５は、映像出力装置１に実装される。
【００５９】
＜出力処理＞
映像出力装置１により所定の画像情報及び映像情報の出力に関する処理について、図４のフローチャートを参照して説明する。
【００６０】
まず、ユーザによる操作部７の操作によって、映像出力装置１の電源をＯＮするよう指示されると（ステップＳ２１）、電源部６は、映像出力装置１の各部への通電を開始する（ステップＳ２２）。
【００６１】
次いで、ステップＳ２２での通電開始に伴って、水晶振動子２１が振動するため、不揮発性メモリ２６に記憶された所定の画像情報及びロゴ情報が表示部５に表示される（ステップＳ２３）。
【００６２】
次いで、映像出力装置１の全体を制御するＣＰＵ８１の起動が完了するまで、ステップＳ２４の処理が繰り返して行われる。
【００６３】
次いで、ＣＰＵ８１の起動が完了すると（ステップＳ２４；Ｙｅｓ）、ＣＰＵ８１は、判定プログラム８３ｂを実行して、第１表示制御部３により映像情報が表示部５に表示できる状態になったか否かを判定する（ステップＳ２５）。
【００６４】
ステップＳ２５で、第１表示制御部３により映像情報が表示部５に表示できる状態になっていないと判定すると（ステップＳ２５；Ｎｏ）、ＣＰＵ８１は、ステップＳ２５の処理を繰り返して行う。
【００６５】
一方、ステップＳ２５で、第１表示制御部３により映像情報が表示部５に表示できる状態になったと判定すると（ステップＳ２５；Ｙｅｓ）、ＣＰＵ８１は、切替情報記憶制御プログラム８３ｃを実行して、レジスタ４ａに、表示部５に出力する情報を第１表示制御部３から入力される映像情報に切り替える旨の切替情報を記憶させて、出力切替部４に、表示部５に出力する情報を、第１表示制御部３から入力される映像情報に切り替えさせる（ステップＳ２６）。
【００６６】
次いで、ＣＰＵ８１は、ユーザによる操作部７の操作によって、映像出力装置１の電源をＯＦＦするよう指示されたか否かを判断する（ステップＳ２７）。
【００６７】
ステップＳ２７で、映像出力装置１の電源をＯＦＦするよう指示されていないと判断すると（ステップＳ２７；Ｎｏ）、ＣＰＵ８１は、ステップＳ２７の処理を繰り返して行う。
【００６８】
一方、ステップＳ２７で、映像出力装置１の電源をＯＦＦするよう指示されたと判断すると（ステップＳ２７；Ｙｅｓ）、ＣＰＵ８１は、ロゴ情報記憶制御プログラム８３ｄを実行して、第１表示制御部３により表示部５に表示されている映像情報に関するロゴ情報を不揮発性メモリ２６に記憶させる（ステップＳ２８）。
【００６９】
次いで、ＣＰＵ８１は、切替情報記憶制御プログラム８３ｃを実行して、レジスタ４ａに、表示部５に出力する情報を制御回路２５から入力される所定の画像情報及びロゴ情報に切り替える旨の切替情報を記憶させて、出力切替部４に、表示部５に出力する情報を、制御回路２５から入力される所定の画像情報及びロゴ情報に切り替えさせて（ステップＳ２９）、電源部６による映像出力装置１の各部への通電を終了して（ステップＳ３０）、本処理を終了する。
【００７０】
以上説明した本発明の映像出力装置１によれば、第１表示制御部３によって、映像情報を表示部５に表示させることができ、第２表示制御部２によって、映像出力装置１の電源がＯＮされてから、第１表示制御部３により映像情報が表示部５に表示されるまでの間、所定の画像情報を表示部５に表示させることができる。具体的には、第２表示制御部２は、映像出力装置１の電源がＯＮされると基準クロック信号を生成する水晶振動子２１及びＰＬＬ回路２２と、所定の画像情報を記憶する不揮発性メモリ２６と、表示部５の表示設定に関する表示設定情報を設定するための複数の外部端子２５ａ…を有する制御回路２５と、を備え、制御回路２５は、水晶振動子２１及びＰＬＬ回路２２により生成された基準クロック信号に従って、複数の外部端子２５ａ…により設定された表示設定情報に基づいて、不揮発性メモリ２６に記憶された所定の画像情報を表示部５に表示させることができる。
したがって、第２表示制御部２が備える制御回路２５は、映像出力装置１全体を制御するＣＰＵ８１の起動が完了しなくても、映像出力装置１の電源がＯＮされると生成される基準クロック信号に従って、予め設定された表示設定情報に基づいて、予め記憶された所定の画像情報を表示部５に表示することができる。すなわち、制御回路２５は、映像出力装置１の電源がＯＮされた直後から映像情報が表示されるまでの間に表示部５に所定の画像情報を表示させることができる。
また、表示設定情報は、映像出力装置１の基板（図示省略）に接続される複数の外部端子２５ａ…の組み合わせによって設定されるため、制御回路２５は、表示設定が異なる様々な表示部５に対応できる。
【００７１】
また、映像出力装置１によれば、表示設定情報は、表示部５の表示画面の水平解像度及び垂直解像度に関する解像度情報を含み、第２表示制御部２は、水晶振動子２１及びＰＬＬ回路２２により生成された基準クロック信号に従って水平画素数をカウントし、当該カウント値が解像度情報に含まれる水平解像度の値になった場合にリセットされる水平カウンタ２３と、水平カウンタ２３がリセットされる度に垂直画素数をカウントし、当該カウント値が解像度情報に含まれる垂直解像度の値になった場合にリセットされる垂直カウンタ２４と、を備え、制御回路２５は、水平カウンタ２３に同期して不揮発性メモリ２６から所定の画像情報を一画素ずつ取得し、垂直カウンタ２４がリセットされる度に、当該取得した所定の画像情報を表示部５に表示させることができる。
したがって、制御回路２５は、１つの制御回路２５で、表示画面の解像度が異なる様々な表示部５に対応することができるとともに、映像出力装置１全体を制御するＣＰＵ８１が表示部５の表示画面の解像度を設定しなくても、表示部５の表示画面に適合した所定の画像情報を表示させることができる。
【００７２】
また、映像出力装置１によれば、表示設定情報は、表示部５の表示画面内における所定の画像情報を表示する位置に関する画像位置情報を含み、制御回路２５は、画像位置情報に基づく取得タイミングで、不揮発性メモリ２６から所定の画像情報を取得することができる。
したがって、制御回路２５は、１つの制御回路２５で、表示画面内における所望の位置に所定の画像情報を表示させたいという様々なニーズに対応することができるとともに、映像出力装置１全体を制御するＣＰＵ８１が表示部５の表示画面内における所定の画像情報を表示する位置を設定しなくても、表示部５の表示画面内における所望の位置に所定の画像情報を表示させることができる。
【００７３】
また、映像出力装置１によれば、不揮発性メモリ２６は、画像情報を複数記憶しており、表示設定情報は、不揮発性メモリ２６に記憶された複数の画像情報のうちの表示部５に表示させる所定の画像情報を識別するための識別情報を含み、制御回路２５は、識別情報に基づいて、不揮発性メモリ２６に記憶された複数の画像情報の中から表示部５に表示させる所定の画像情報を取得することができる。
したがって、制御回路は、１つの制御回路２５で、表示させる画像情報を所望の所定の画像情報にしたいという様々なニーズに対応することができるとともに、映像出力装置１全体を制御するＣＰＵ８１が表示させる所定の画像情報を設定しなくても、所望の所定の画像情報を表示させることができる。
【００７４】
また、映像出力装置１によれば、映像出力装置１の電源がＯＦＦされる際に第１表示制御部３により表示部５に表示されている映像情報に関するロゴ情報を不揮発性メモリ２６に記憶させるロゴ情報記憶制御プログラム８３ｄを実行したＣＰＵ８１を備え、第２表示制御部２は、映像出力装置１の電源がＯＮされてから、第１表示制御部３により映像情報が表示部５に表示されるまでの間、不揮発性メモリ２６に記憶された所定の画像情報とともに、不揮発性メモリ２６に記憶されたロゴ情報を表示部５に表示させることができる。
したがって、第２表示制御部２は、映像出力装置１の電源がＯＮされた直後から映像情報が表示されるまでの間に、その電源ＯＮの直前の電源ＯＦＦの際に表示部５に表示されている映像情報に関するロゴ情報、すなわち、これから表示される映像情報に関するロゴ情報を表示することができるため、使い勝手がよい。
【００７５】
また、映像出力装置１への制御回路２５の実装方法によれば、表示設定情報を設定するために複数の外部端子２５ａ…に入力設定を行って、制御回路２５を映像出力装置１の基板（後述）に実装するようになっている。
したがって、制御回路２５は、表示設定が異なる様々な表示部５に対応できる。
【００７６】
なお、本発明は、上記した実施の形態のものに限るものではなく、その要旨を逸脱しない範囲で適宜変更可能である。
【００７７】
映像出力装置１が接続する外部装置は、チューナ装置Ｅの限りではなく、映像出力装置１に映像情報を入力できるＡＶ機器であれば、例えば、ＤＶＤプレイヤや、ビデオレコーダ、ＰＶＲ（Personal Video Recorder）、ＳＴＢ（Set Top Box）、オーディオ装置などであってもよい。
また、映像出力装置１が接続する外部装置は、１つの限りではなく、複数であってもよい。
ここで、映像出力装置１の電源がＯＦＦされる際に第１表示制御部３により表示部５に表示されている映像情報が、チューナ装置Ｅ以外の外部装置から入力された映像情報である場合は、当該映像情報に関するロゴ情報は、例えば、「ビデオ１」や「ビデオ２」などの外部入力切替に関する情報になる。
【００７８】
表示部５に表示される所定の画像情報は、現在、電源がＯＮされて映像情報を表示するための処理を行っていること等を示すメッセージに関する情報だけでなく、例えば、映像出力装置１のメーカを示すマークに関する情報などを含んでもよい。
【００７９】
表示設定情報が含む情報は、解像度情報と、画像位置情報と、ロゴ位置情報と、識別情報と、の限りではなく、表示部５の表示設定に関する情報であれば任意であり、例えば、画像情報の背景色に関する背景色情報などであってもよい。
【図面の簡単な説明】
【００８０】
【図１】本発明にかかる映像出力装置の機能的構成を示す図である。
【図２】所定の画像情報及びロゴ情報が表示された表示部の表示画面を示す。
【図３】映像出力装置への制御回路の実装方法について説明するためのフローチャートである。
【図４】映像出力装置による画像情報及び映像情報の出力に関する処理について説明するためのフローチャートである。
【符号の説明】
【００８１】
１  映像出力装置
２  第２表示制御部（第２表示制御手段）
３  第１表示制御部（第１表示制御手段）
５  表示部（表示手段）
２１  水晶振動子（基準クロック生成回路）
２２  ＰＬＬ回路（基準クロック生成回路）
２３  水平カウンタ
２４  垂直カウンタ
２５  制御回路
２５ａ  外部端子
２６  不揮発性メモリ
８１  ＣＰＵ（記憶制御手段）
８３  ロゴ情報記憶制御プログラム（記憶制御手段）
【図１】
2008263536.tif 000003
【図２】
2008263536.tif 000004
【図３】
2008263536.tif 000005
【図４】
2008263536.tif 000006